(57)【要約】【課題】筋活動監視システムにおいて、筋電位をパターン化する。【解決手段】生体用電極２および生体用電極２から筋電位を計測する筋電位計測装置１を備える。筋電位計測装置１は、生体用電極２からの筋電位を検出する電位検出回路４と、筋電位を増幅、整流した信号を出力する増幅・整流回路５と、通常時の最大噛みしめ時の筋電位による信号を基準値信号として生成する基準値生成回路６と、夜間睡眠中の筋電位による信号を測定値信号とし、基準値信号と比較判別する比較判別手段７と、を有する。【選択図】図１
2010137015.tif 000002
【特許請求の範囲】
【請求項１】
生体用電極から筋電位を計測する筋電位計測装置を備えた筋活動監視システムであって、
前記筋電位計測装置は、
前記生体用電極からの筋電位を検出する筋電位検出機能と、
前記筋電位を増幅、整流した信号を出力する増幅・整流機能と、
第１筋電位による信号を基準値信号として生成する基準値信号生成機能と、
第２筋電位による信号を測定値信号とし、前記基準値信号と比較判別する比較判別機能と、
を有することを特徴とする筋活動監視システム。
【請求項２】
前記筋電位は咀嚼筋の電位であって、
通常時の最大噛みしめ筋電位を前記第１筋電位とし、
夜間睡眠中あるいは緊張行動中の噛みしめ筋電位を前記第２筋電位とし、
前記基準値信号と前記測定値信号との一定割合以上の筋電位波形を記憶・保存する機能を前記筋電位計測装置が有し、
前記筋電位計測装置が、被験者の頭部で固定され、あるいは被験者の胸ポケットに収納されることを特徴とする請求項１記載の筋活動監視システム。
【請求項３】
噛みしめ筋電位の最大値、噛みしめ回数、噛みしめ筋活動パターン、噛みしめ持続時間の推移を図表表示する解析機能を有することを特徴とする請求項２記載の筋活動監視システム。
【請求項４】
生体用電極から筋電位を計測する筋電位計測装置を備えた筋活動監視システムであって、
前記筋電位計測装置は、
前記生体用電極からの筋電位を検出する筋電位検出機能と、
前記筋電位を増幅、整流した信号を出力する増幅・整流機能と、
咬合力センサを駆動し、咬合力を検出する駆動・検出機能と、
筋電位を咬合力単位信号に変換する変換機能と、
咬合力による信号を基準値信号として生成する基準値信号生成機能と、
筋電位による信号を測定値信号とし、前記基準値信号と比較判別する比較判別機能と、
を有し、力学単位で筋活動を監視できることを特徴とする筋活動監視システム。
【発明の詳細な説明】
【技術分野】
【０００１】
本発明は、筋活動を監視するシステム（筋活動監視システム）に関し、特に、夜間睡眠中、あるいは緊張行動中（例えば車両運転中等）の咀嚼筋活動を監視する咀嚼筋活動監視システムに適用して有効な技術に関する。
【背景技術】
【０００２】
歯ぎしりや噛みしめによる非生理的な咬合力は顎関節症、肩こり、偏頭痛等の要因となり得る。また、夜間睡眠中の歯ぎしりや噛みしめ、緊張行動中の噛みしめ等は精神的ストレスの指標にもなり得る。非生理的な咬合力を、咀嚼筋電位を指標に監視し、治療、予防、改善することを目的とした咀嚼筋活動監視システムの開発が望まれている。ここで、咀嚼筋とは咀嚼を覆う筋肉であって側頭筋、咬筋などである。
【０００３】
夜間睡眠中の歯ぎしり、噛みしめ、あるいは、緊張行動中の噛みしめは、咀嚼筋電位（ＥＭＧ）を測定することにより検出できることは周知されている。例えば、各種筋電位を測定する筋電計と可搬型記録計を使用して家庭で咀嚼筋電位を測定することにより歯ぎしり、噛みしめを調査する方法が周知されている。
【０００４】
特表２００３−５２４４５９号公報（特許文献１）では、リアルタイムでデータ収集及び分析可能な夜間における骨格筋活動障害選別システムを開示している。ここでは、筋肉群に定置できる小型プラスチックユニットに組み込まれたもので、使い捨て式のものが開示されている。具体的には、筋データはマイクロプロセッサに入力され、ソフトウェアモジュールにより筋活動症状が異常な筋活動の検出、医師に相談すべきか等を電気化学的表示ユニットで表示するものである。
【０００５】
特表２００６−５２１８４４号公報（特許文献２）では、バイオフィードバックを採用して望ましくない筋活動や、有害あるいは望ましくない運動を検出し、防止する手段を備えた筋活動を監視する方法および装置を開示している。具体的には、ＥＭＧ信号を検出、信号処理して様々な信号、例えば振動、音声を用いて、個人個人に適合したフィードバック信号を発動するものである。
【０００６】
【特許文献１】特表２００３−５２４４５９号公報
【特許文献２】特表２００６−５２１８４４号公報
【発明の開示】
【発明が解決しようとする課題】
【０００７】
本発明者らは、筋電位を指標として筋活動の監視を行う筋活動監視システムの検討を行っている。例えば、歯ぎしり、噛みしめ等の非生理的な咬合力は、側頭筋、咬筋などの咀嚼筋の活動が関係することが知られている。このため、咀嚼筋の電位を基準値に対してパターン化することができれば、歯ぎしり等の治療、予防、あるいは改善に役立つことが考えられる。
【０００８】
筋電位を測定する検査装置として筋電計は、反応の大きさ等を読み取ることができる。すなわち、筋電計を用いて筋に活動が起こったか否かの有無を確認することができる。よって、この筋電計を用いて咀嚼筋の活動の有無を確認することはできる。しかしながら、例えば、夜間睡眠中の歯ぎしり、噛みしめが起きたときに、咀嚼筋が活動していることは確認できるが、筋電位をパターン化するなど、治療するための基準、判断材料がない。
【０００９】
なお、前記特許文献１の方法では、ある筋電位を基準値としてパターン化したものではなく、また、使い捨て式であり、複数日使用の際は、日毎に使い捨てとなり高価となってしまう。また、前記特許文献２の方法は、装置構成が複雑であり、例えば歯科医師が患者に装置の使用を処方したとしても、患者にとって取り扱いが煩雑であり、望ましいデータが取得できるまでには熟練を要してしまう。
【００１０】
本発明の目的は、筋活動監視システムにおいて、筋電位をパターン化することのできる技術を提供することにある。また、筋電位を力学単位に変換する技術を提供するものである。
【００１１】
本発明の前記ならびにその他の目的と新規な特徴は、本明細書の記述および添付図面から明らかになるであろう。
【課題を解決するための手段】
【００１２】
本願において開示される発明のうち、代表的なものの概要を簡単に説明すれば、次のとおりである。
【００１３】
本発明は、生体用電極から筋電位を計測する筋電位計測装置を備えた筋活動監視システムであって、前記筋電位計測装置は、前記生体用電極からの筋電位を検出する筋電位検出機能と、前記筋電位を増幅、整流した信号を出力する増幅・整流機能と、第１筋電位による信号を基準値信号として生成する基準値信号生成機能と、第２筋電位による信号を測定値信号とし、前記基準値信号と比較判別する比較判別機能と、を有するものである。
【００１４】
ここで、前記筋電位は咀嚼筋の電位であって、通常時の最大噛みしめ筋電位を前記第１筋電位とし、夜間睡眠中あるいは緊張行動中の噛みしめ筋電位を前記第２筋電位とし、前記基準値信号と前記測定値信号との一定割合以上の筋電位波形を記憶・保存する機能を前記筋電位計測装置が有し、前記筋電位計測装置が、被験者の頭部で固定され、あるいは被験者の胸ポケットに収納される。これにより、歯ぎしりや噛みしめによる非生理的な咬合力を頭部に装着あるいは胸ポケットに収納可能な咀嚼筋電位計測装置により測定できるため、睡眠あるいは作業時の行動を妨げない。
【００１５】
また、噛みしめ筋電位の最大値、噛みしめ回数、噛みしめ筋活動パターン、噛みしめ持続時間の推移を図表表示する解析機能を有する。これにより、咀嚼筋電位データから噛みしめ筋電位の最大値、噛みしめ回数、噛みしめ筋活動パターン、噛みしめ持続時間の推移を図表表示できるため、歯科医師、患者、作業者等が咀嚼筋活動の状態を容易に理解でき、歯ぎしり、噛みしめの予防、改善が可能となる。
【００１６】
また、本発明は、生体用電極から筋電位を計測する筋電位計測装置を備えた筋活動監視システムであって、前記筋電位計測装置は、前記生体用電極からの筋電位を検出する筋電位検出機能と、前記筋電位を増幅、整流した信号を出力する増幅・整流機能と、咬合力センサを駆動し、咬合力を検出する駆動・検出機能と、筋電位を咬合力単位信号に変換する変換機能と、咬合力による信号を基準値信号として生成する基準値信号生成機能と、筋電位による信号を測定値信号とし、前記基準値信号と比較判別する比較判別機能とを有し、力学単位で筋活動を監視できる。
【発明の効果】
【００１７】
本願において開示される発明のうち、代表的なものによって得られる効果を簡単に説明すれば、筋活動監視システムにおいて、筋電位をパターン化することができる。
【発明を実施するための最良の形態】
【００１８】
以下、本発明の実施の形態を図面に基づいて詳細に説明する。なお、実施の形態を説明するための全図において、同一の機能を有する部材には同一の符号を付し、その繰り返しの説明は省略する場合がある。
【００１９】
（実施の形態１）
本実施の形態では、筋活動監視システムとして、咀嚼筋活動の監視に適用して説明する。図１は、本実施の形態における咀嚼筋活動監視システムの構成を示すブロック図である。なお、本実施の形態では、咀嚼筋として側頭筋（図中、生体用電極２の位置）の活動を監視する場合について説明するが、咬筋（図中、領域Ａの位置）の活動を監視しても良い。
【００２０】
図１に示すように、本実施の形態における咀嚼筋活動監視システムは、生体用電極２、筋電位を計測する筋電位計測装置１、およびパーソナルコンピュータ１２を備えている。なお、パーソナルコンピュータ１２内には解析ソフトウエアなどが搭載されている。
【００２１】
筋電位計測装置１は、電位検出回路４、増幅・整流回路５、基準値生成回路６、比較判別手段７、データ保存メモリ８、データ読み出し手段９、外部インタフェース１０、および時計回路１１を有している。筋電位計測装置１は、可搬型であり、例えば被験者の頭部で固定され、あるいは被験者の胸ポケットに収納されるため、小型化・軽量化されたブロック状のものである（図２参照）。このため、筋電位計測装置１は、電池（バッテリ）を用いている。また、図示しないが、電源スイッチ、計測開始スイッチも筋電位計測装置１は有している。
【００２２】
本実施の形態では、生体用電極２は、関電極、不関電極、基準電位（アース）用電極の３つで構成されている。これに限らず、関電極、基準電位用電極の２つで構成しても良い。
【００２３】
電位検出回路４は、生体用電極２からの筋電位を検出する筋電位検出機能を有している。生体用電極２と電位検出回路４とは電極リード線３を介して電気的に接続されている。また、増幅・整流回路５は、電位検出回路４で検出した筋電位を増幅、整流した信号を出力する増幅・整流機能を有している。
【００２４】
基準値生成回路６は、電位検出回路４および増幅・整流回路５を介して所定の筋活動に伴う筋電位による信号を基準値信号として生成する基準値信号生成機能を有している。本実施の形態では、夜間睡眠中あるいは緊張行動中の噛みしめ筋電位を測定する前に、通常時（リラックス時）の最大噛みしめ筋電位による信号を基準値信号として生成する（基準値信号入力手段という）。
【００２５】
比較判別手段７（例えばマイコン）は、電位検出回路４および増幅・整流回路５を介して夜間睡眠中あるいは緊張行動中の噛みしめ筋電位による信号を測定値信号とし、基準値信号と比較判別する比較判別機能を有している。これにより、基準値信号を用いて、夜間睡眠中あるいは緊張行動中の噛みしめ筋電位を測定することによって、一定割合以上の筋電位をパターン化することができる。
【００２６】
データ保存メモリ８は、例えば、基準値信号と測定値信号との一定割合以上の必要な筋電位波形を記憶・保存する機能を有している。このように、測定値信号に対して基準値信号を測定しているので、例えば歯ぎしりなどの治療の判断に必要となるデータのみを保存することができる。
【００２７】
データ読み出し手段９は、データ保存メモリ８に保存されたデータを読み出す機能を有している。また、外部インタフェース１０は、筋電位計測装置１と外部のパーソナルコンピュータ１２とでデータの送受信を行う機能を有している。また、時計回路１１は、年月日、時刻を管理する機能を有している。
【００２８】
本実施の形態における咀嚼筋活動監視システムの動作を概略すると、まず、被験者が、側頭筋あるいは咬筋部位に生体用電極２を貼付する。筋電位計測装置１に内設の電位検出回路４により筋電位が検出される。被験者の最大噛みしめ動作から得た筋電位を基準値生成回路６にて基準値を生成する。基準値と被測定筋電位は比較判別手段７に供給される。基準値と被測定値との割合から噛みしめの強度を評価する。また、一定割合以上の筋電位波形を表示するためのデータ保存メモリ８に保存する。データ保存メモリ８に保存されたデータはデータ読み出し手段９を操作することにより外部インタフェース１０を介してパーソナルコンピュータ１２等に供給され、データ解析が行われる。
【００２９】
図２（ａ）〜（ｃ）は可搬型の筋電位計測装置１を被験者の頭部（額部）に固定するために用いる頭部固定装置５０の説明図である。本実施の形態では、頭部固定装置５０はヘッドバンドのような形状となっている。
【００３０】
頭部固定装置５０は、額部の位置で頭部を締めるベルト部５１と、筋電位計測装置１を収容する袋部５２と、生体用電極２を覆う電極カバー部５４と、電極カバー部５４を固定するため顎部で締めつけるベルト部５５とを有している。
【００３１】
ベルト部５１は例えば面ファスナーであり、調整、着脱が容易である。ベルト部５５も例えば面ファスナーやゴム紐を適用することができる。また、図２（ｃ）に示すように、袋部５２の開閉は面ファスナーのオス５２ａとメス５２ｂの貼り合わせで行うことができる。図示しないが、生体用電極２に接続するコネクタを有する電極ホルダ部５３のコネクタには電極リード線３の一端が接続されており、該電極リード線３の他端は図１で示した筋電位計測装置１の電位検出回路４に接続されている。
【００３２】
電極カバー部５４は、通気性を確保するため、例えばメッシュ地でダブルラッセル構造を用いている。ヘッドバンド装着後、破線で示す位置から電極カバー部５４を折り返すことによって用いる。なお、咬筋測定を行う場合は、領域Ａ（図２（ｂ））に生体用電極２を貼り付けることになるので、その場合、領域Ａを覆うように電極カバー部５４の形状を変形すれば良い。
【００３３】
ここで、頭部固定装置５０を用いて、筋電位計測装置１を被験者の頭部（額部）に固定する手順について説明する。まず、鏡を見ながら生体用電極２の粘着部側を額部に貼り付ける。側頭筋測定を行う場合、例えば、前額部（おでこ）に１つ、側頭部（こめかみ近傍）に２つ生体用電極２を貼り付ける。なお、咬筋測定を行う場合は、例えば、前額部に１つ、咬筋部に２つ生体用電極２を貼り付ける。
【００３４】
次いで、ベルト部５１によって頭に頭部固定装置５０を装着する。次いで、生体用電極２に電極ホルダ部５３を接続する。次いで、筋電位計測装置１の電源をオン状態とする。次いで、前述したように電極カバー部５４を折り返してベルト部５５で、顎部を締め付ける。ここで、電極ホルダ５３は電極カバー部５４によって覆われるので、図２では電極ホルダ５３を破線で示している。
【００３５】
次いで、ケース状の筋電位計測装置１を袋部５２に装着する。また、筋電位計測装置１は、袋部５２ではなく、例えば被験者の胸ポケットに装着することもできる。このように、歯ぎしりや噛みしめによる非生理的な咬合力を頭部に装着あるいは胸ポケットに収納可能な筋電位計測装置１により測定できるため、睡眠あるいは作業時の行動を妨げない。
【００３６】
図３は咀嚼筋活動監視システムの動作フロー図である。図中、実線で囲まれた動作は筋電位計測装置１が行い、破線で囲まれた動作は人間が行うものである。まず、前述したように、生体用電極２を額部に貼り付けた後（Ｓ１０）、筋電位計測装置１の電源スイッチをオンする（Ｓ２０）。次いで、筋電位計測装置１の計測開始スイッチをオンする（Ｓ３０）と、ブザーが鳴動する（Ｓ４０）。
【００３７】
次いで、ブザーが鳴動中に最大噛みしめ動作を行い（Ｓ５０）、筋電位計測を開始し（Ｓ６０）、その時の筋電位を電位検出回路４、増幅・整流回路５を介して筋電位信号として、基準値生成回路６で最大噛みしめ動作による基準値信号を生成する（Ｓ７０）。
【００３８】
次いで、例えば夜間睡眠中の筋電位計測を開始し（Ｓ６０）、その時の筋電位を電位検出回路４、増幅・整流回路５を介して筋電位信号として、測定筋電位信号を生成する。次いで、比較判別手段７で測定筋電位信号と基準値信号を比較判別する（Ｓ８０）。比較判別手段７では、例えばピーク値を比較して比率を算出し、また、比率データを生成する。
【００３９】
次いで、生成した比率データを時計回路１１の時間データと共に、データ保存メモリ８で保存する（Ｓ９０）。例えば夜間睡眠中などの筋電位計測が終了した後、保存されたデータをデータ読み出し手段９で読み出し（Ｓ１００）、外部インタフェース１０を介してパーソナルコンピュータ１２等に出力し、解析する（Ｓ１１０）。
【００４０】
データ解析ソフトウエアを使用して、パーソナルコンピュータ１２等のコンピュータにより、被測定期間の最大値、噛みしめ回数、噛みしめ総時間の推移をグラフ化する。また、例えば夜間睡眠中の筋電位パターン、噛みしめ回数、噛みしめ総時間等を画面に表示する。図４（ａ）〜（ｃ）は解析ソフトウエアを用いてパーソナルコンピュータ１２の画面上の出力を示す図である。
【００４１】
図４（ａ）は筋電位計測装置１のデータ保存メモリ８に保存されたデータに基づいて、連続日データのグラフ表示の一例を示すコンピュータ解析画面である。パーソナルコンピュータ１２においてデータ解析が行われる。すなわち、連続日データ表示図において、日毎の噛みしめ回数、噛みしめ時間、筋電位最大値が棒グラフ表示される。
【００４２】
図４（ｂ）は図４（ａ）に示す日データの日付クリックにより選択した一日の歯ぎしり、噛みしめの咀嚼筋電位の推移の一例を示すコンピュータ解析画面である。連続日データ表示図に提示された日付をクリックすると、日にちデータ表示図が表示され、噛みしめ筋電位波形（筋電位パターン）の時系列が表示される。また、その日の筋電位最大値（例えば２３００ｍＶ）、噛みしめ回数（例えば２３０回）、総時間（例えば６００ｓ）が表示される。
【００４３】
図４（ｃ）は図４（ｂ）の選択日上で指定した咀嚼筋電位の拡大波形の一例を示すコンピュータ解析画面である。日にちデータ表示図に表示された噛みしめパターンの始点、終点をクリックすると筋電位波形が表示され、噛みしめ筋電位の拡大波形とともに拡大範囲の時間（例えば２０ｓ）が表示される。
【００４４】
このように、本実施の形態における筋活動監視システムは、咀嚼筋の活動を監視するものであって、リアルタイムで咀嚼筋電位データを収集及び保存する筋電位計測装置と、データ収集後に容易に理解できる形式でデータ解析可能な手段（パーソナルコンピュータ等）とを備えている。
【００４５】
本実施の形態における筋電位計測装置は、最大噛みしめ筋電位を基準値として検知し、該基準値と被測定筋電位の比較判別手段を備えている。前記基準値と被測定値との割合と一定割合以上の筋電位パターンを記憶・保存する筋電位計測装置は例えば小型乾電池により電源を供給する。また、筋電位計測装置は、被験者が咬筋あるいは側頭筋など咀嚼に由来する筋肉（咀嚼筋）部に生体用電極を貼付して筋電位を双極誘導するものである。
【００４６】
誘導した筋電位を増幅し、整流筋電位に変換する。個人差、電極の貼付方法の相異による信号レベルの変動を除去し、定量的な評価をするために、最大噛みしめ動作から得た筋電位を基準値として検知し、基準値と被測定筋電位を比較判別し、基準値と被測定値との割合から噛みしめの強度を評価する。
【００４７】
また、一定割合以上の筋電位パターンを表示可能なデータをメモリに保存する。保存データはパーソナルコンピュータによりデータ処理され、被測定期間の最大値、噛みしめ回数、噛みしめ総時間等の推移をグラフ化する。また、一日の噛みしめ状況を把握できる筋電位パターン、噛みしめ回数、噛みしめ総時間等を画面に表示する。
【００４８】
このように、本実施の形態の筋活動監視システムによれば、筋電位をパターン化することができる。また、咀嚼筋電位データから噛みしめ筋電位の最大値、噛みしめ回数、噛みしめ筋活動パターン、噛みしめ持続時間の推移を図表表示することができる。さらに、パターン化された筋電位により、歯科医師、患者、作業者等が咀嚼筋活動の状態を容易に理解でき、歯ぎしり、噛みしめの予防、改善に役立つものとなる。
【００４９】
（実施の形態２）
前記実施の形態１では、咀嚼筋活動を監視するにあたり、咀嚼筋の筋電位のみを検出して筋電位をパターン化する場合について説明した。本実施の形態では、筋電位の他に咬合力を検出して筋電位をパターン化する場合について説明する。なお、前記実施の形態１と同様の説明は省略する場合がある。
【００５０】
図５は本実施の形態における咀嚼筋活動監視システムの構成を示すブロック図である。図５に示すように、本実施の形態における咀嚼筋活動監視システムは、生体用電極２、咬合力センサ２２、筋電位を計測する筋電位計測装置２１、およびパーソナルコンピュータ１２を備えている。
【００５１】
筋電位計測装置２１は、前記実施の形態１の筋電位計測装置１と同様に、電位検出回路４、増幅・整流回路５、基準値生成回路６、比較判別手段７、データ保存メモリ８、データ読み出し手段９、外部インタフェース１０、および時計回路１１を有している。さらに、筋電位計測装置２１は、咬合力センサ２２を駆動し、センサリード２３を介して咬合力を検出する駆動・検出機能を有する駆動・検出回路２４、および、筋電位による信号を咬合力に変換する変換機能を有する変換手段２５を有している。筋電位計測装置２１は、可搬型であり、例えば被験者の頭部で固定され、あるいは被験者の胸ポケットに収納されるため、小型化・軽量化されたものである。
【００５２】
本実施の形態における咀嚼筋活動監視システムの動作を概略すると、まず、被験者が、側頭筋あるいは咬筋部位に生体用電極２を貼付すると共に、口に咬合力センサ２３を咥え、最大噛みしめ動作を行う。駆動・検出回路２４により咬合力が検出され、変換手段２５により咬合力を基準値信号に変換する。被験者の咬合力から得た信号を基準値生成回路６にて基準値として生成する。基準値を生成した後、咬合力センサ２３を筋電位計測装置２１から取り外す。また、被測定筋電位を電位検出回路４により検出され、増幅・整流回路５を介して変換手段２５により筋電位は咬合力単位の内部用の測定値信号に変換する。
【００５３】
基準値信号と測定値信号は比較判別手段７に供給される。基準値と被測定値との割合から噛みしめの強度を評価する。また、一定割合以上の筋電位波形を表示するためのデータ保存メモリ８に保存する。データ保存メモリ８に保存されたデータはデータ読み出し手段９を操作することにより外部インタフェース１０を介してパーソナルコンピュータ１２等に供給され、データ解析が行われる。
【００５４】
本実施の形態の筋活動監視システムによれば、咀嚼筋の筋電位を咬合力に変換して検出することができるので、筋電位を咬合力単位でパターン化することができる。パターン化された筋電位により、歯科医師、患者、作業者等が咀嚼筋活動の状態を力学単位で容易に理解でき、歯ぎしり、噛みしめの予防、改善に役立つものとなる。
【００５５】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００５６】
例えば、前記実施の形態では、咀嚼筋に適用した場合について説明したが、本発明は他の筋活動を監視する場合にも適用することができる。
【図面の簡単な説明】
【００５７】
【図１】本発明の一実施の形態における咀嚼筋活動監視システムの構成を示すブロック図である。
【図２】可搬型の筋電位計測装置を被験者の頭部に固定するために用いる頭部固定装置の説明図である。
【図３】咀嚼筋活動監視システムの動作フロー図である。
【図４】解析ソフトウエアを用いてパーソナルコンピュータの画面上の出力を示す図である。
【図５】本発明の他の実施の形態における咀嚼筋活動監視システムの構成を示すブロック図である。
【符号の説明】
【００５８】
１  筋電位計測装置
２  生体用電極
３  電極リード線
４  電位検出回路
５  増幅・整流回路
６  基準値生成回路
７  比較判別手段
８  データ保存メモリ
９  データ読み出し手段
１０  外部インタフェース
１１  時計回路
１２  パーソナルコンピュータ
２１  筋電位計測装置
２２  咬合力センサ
２３  センサリード
２４  駆動・検出回路
２５  変換手段
５０  頭部固定装置
５１  ベルト部
５２  袋部
５３  電極ホルダ部
５４  電極カバー部
５５  ベルト部
【図１】
2010137015.tif 000003
【図２】
2010137015.tif 000004
【図３】
2010137015.tif 000005
【図４】
2010137015.tif 000006
【図５】
2010137015.tif 000007